(57)【要約】【課題】見る角度を変えることで全く別の見え方をすることを特徴とする工芸品、装飾物、置物、玩具、建築装飾物、案内表示物、広告表示物、特殊ミラーなど表示体を提供する。【解決手段】  四角柱の光透過性素材をその底面に垂直な分割面で分割してできた第一の光透過部と第二の光透過部を用いる。第一の光透過部において底面に対し垂直で分割面に接しない辺を含む面を前面とし、前記第一及び第二の両光透過部の分割面は前面に対し一定の角度を持ち、その相対する前記第一及び第二の両光透過部の各分割面を前記第一及び第二の両光透過部より屈折率の低い光透過性領域を介して一定の距離を保ち平行に設置することにより、前面から一定の範囲で見ると見える範囲がα１側、前面から見る角度を変えると分割面で全反射しβ１側と変化することを特徴とする光透過性表示体となる。【選択図】図１
0003136431.tif 000002
【実用新案登録請求の範囲】
【請求項１】
四角柱の光透過性素材をその底面に垂直な分割面で分割してできた第一の光透過部と第二の光透過部とからなり、第一の光透過部において底面に対し垂直で分割面に接しない辺を含む面を前面とし前記第一及び第二の両光透過部の分割面は前面に対し一定の角度を持ち、その相対する前記第一及び第二の両光透過部における分割面を前記第一及び第二の両光透過部より屈折率の低い光透過性領域を介して一定の距離を保ち平行に設置することを特徴とする光透過性表示体。
【請求項２】
請求項１の表示体において四角柱の光透過性素材を上下左右に回転反転させることで分割面の取り方は多様であり、よってそれら分割面に対する前面の位置関係は複数存在し、それら異なる複数の位置関係の分割面を持つ光透過部からなる光透過性表示体。
【請求項３】
請求項１、請求項２の表示体において分割面で全反射しない前面からの入射角の範囲をα、それによって見える第二の光透過部の側面をα１側、分割面で全反射する前面からの入射角の範囲をβ、それによって見える第一の光透過部の側面をβ１側として、α１側、β１側の一方または両方に図案を施した光透過部からなる光透過性表示体。
【考案の詳細な説明】
【技術分野】
【０００１】
この考案は、工芸品、装飾物、置物、玩具、建築装飾物、案内表示物、広告表示物、特殊ミラーなど表示体の形状に関する。
【背景技術】
【０００２】
従来、ガラスなどの光透過性素材による工芸品、装飾物、置物、玩具、建築装飾物、案内表示物、広告表示物、特殊ミラーなど表示体は、そのもの自体のデザイン性のみで完結しており、光の屈折作用を利用したものもカッティングによってそれ自体を輝かせるなどにとどまり、全く別の見え方を提案するものはなかった。
【考案の開示】
【考案が解決しようとする課題】
【０００３】
光透過性素材の光の屈折作用を利用し、全く別の見え方を提案するものはなかった。  そこで、この考案は屈折率の高い素材から屈折率低い素材への光の入射角が臨界角を超えると全反射する屈折作用を有効に利用し、見る角度によって全く別の見え方をすることを特徴とする工芸品、装飾物、置物、玩具、建築装飾物、案内表示物、広告表示物、特殊ミラーなど表示体を提供することを課題とする。
【課題を解決するための手段】
【０００４】
以上の課題を解決するために、当考案は、四角柱の光透過性素材をその底面に垂直な分割面Ｂで分割してできた第一の光透過部１と第二の光透過部２を用いる。第一の光透過部において底面に対し垂直で分割面に接しない辺を含む面を前面Ａとし、前記第一及び第二の両光透過部の分割面は前面に対し一定の角度ｃを持ち、その相対する前記第一及び第二の両光透過部の分割面を前記第一及び第二の両光透過部より屈折率の低い光透過性領域ｆを介して一定の距離ｅを保ち平行に設置することにより、前面から見る角度を変えることで見える範囲がα１側、β１側と変化することを特徴とする光透過性表示体となる。
また表示体の中において前面と各分割面の位置関係は複数存在し、それら異なる複数の位置関係の分割面を持つ光透過部からなる光透過性表示体とすることができる（図２）。
さらにα１側、β１側の一方または両方に図案を施した光透過性表示体とすることもできる（図３）。
なお、光透過性素材は各1個ではなく数個の積層からなるものでもよくその素材も固体以外のもでもよい。
【考案の効果】
【０００５】
第一の光透過部１と第二の光透過部２とからなる光透過性表示体において、分割面で全反射しない前面Ａからの入射角の範囲αから見た場合は第二の光透過部の側面α１側が見え、第一及び第二の両光透過部の各分割面が介する低屈折率の光透過性領域ｆへの入射角ｄが臨界角を超えることとなる前面Ａからの入射角の範囲βから見ると全反射により第一の光透過部の側面β１側が見えることを特徴とする光透過性表示体となる。
表示体において前面と各分割面の位置関係を複数用いれば、それぞれの前面に呼応するα１側、β１側が見える（図２）。
α１側、β１側に図案を施せば前面から見る角度を変えることでα１側、β１側それぞれに対応する図案が見える（図３）。
【考案を実施するための最良の形態】
【０００６】
この考案の一実施形態を、図３に示す。
この例では動物の図案４をβ１側に施した第一の光透過部（ガラス）１と星形の図案３をα１側に施した第二の光透過部（ガラス）２を前面Ａに対し３７度の分割面Ｂにて、ガラスより屈折率の低い光透過性領域（空気）を介して各分割面間の距離ｅを約２ミリメートルに保ち平行に設置、全面を研磨して完成。
実際はさらに前面以外の面に銀薄膜と２ミリメートル厚の板ガラスを成型するなど外面保護を兼ねた化粧仕上げが有効。
当考案は、第一の光透過部１と第二の光透過部２は前面Ａに対し一定の角度の分割面Ｂを持つが、この面の前面Ａに対する角度は次のようになる。
第一及び第二の各光透過部をガラスとし、以下仮定して説明する。
ガラスの絶対屈折率＝１．５
空気の絶対屈折率＝１．０
ガラス中から空気へ進む光の臨界角＝４３度 
図４にあるように、空気中からガラスへの入射角ａが１０度程度の場合、屈折角ｂは６度程度になる。前面Ａに対する分割面Ｂの角度ｃが３７度であれば、ガラス中から屈折率の低い光透過性領域（空気）への入射角ｄは４３度の臨界角となり矢印のように分割面を進むことになる。
図５では、上記のように前面Ａに対する分割面Ｂの角度ｃが３７度のとき、空気中からガラスへの入射角ａが１０度を超えると屈折角ｂも６度を超え、ガラス中から屈折率の低い光透過性領域（空気）への入射角ｄは４３度の臨界角を超え矢印のように全反射して進む。
図６では、同様に分割面Ｂの角度ｃが３７度のとき、空気中からガラスへの入射角ａが１０度より小さくなると屈折角ｂも６度より小さくなり、ガラス中から屈折率の低い光透過性領域（空気）への入射角ｄは４３度の臨界角を超えず矢印のように進むことになる。
よって分割面で全反射しない前面Ａからの入射角の範囲（ガラス中から屈折率の低い光透過性領域（空気）への入射角ｄが臨界角未満となる角度）αから見た場合はα１側の星形の図案３が見え、分割面で全反射する前面からの入射角の範囲（ガラス中から屈折率の低い光透過性領域（空気）への入射角ｄが臨界角を超える角度）βから見ると全反射によりβ１側の動物の図案４が見える。
【０００７】
「実施形態の効果」
この実施形態によれば、前面Ａに対し左１０度内の入射角となる範囲内αで見るとα１側の星形の図案３が見え、前面Ａに対し左１０度を超える角度βから見るとガラス中から屈折率の低い光透過性領域（空気）への入射角ｄが４３度の臨界角を超え全反射によりβ１側の動物の図案４が見える。
【０００８】
「他の実施形態」
図３の実施形態では、分割面を有する第一のガラスと第二のガラスに各図案を配し、屈折率の低い光透過性領域領域（空気）を介して一定の距離ｅを保ち平行に設置し、研磨したものであるが、他の実施形態では、以下イ〜ヌの各事項について任意のものでも良く、それぞれを組合わせても良い。
イ  光透過性素材の種類（例  ガラス、クリスタル、アクリル樹脂、水、ジェル、ダイヤ、水晶など）
ロ  光透過性素材の面積や厚み、個数、積層数
ハ  光透過性素材の色（例  透明、光透過性青、光透過性緑など）
ニ  図案形状（例  任意の模様、図案、文字、記号など）
ホ  図案面の素材（例  紙、布、金、銀、アルミ、プラチナ、塗料など）
ヘ  前面と分割面の数、および図案の数
ト  第一及び第二の両光透過部より屈折率の低い光透過性領域の素材や色
チ  外面成型素材（例  ガラス、紙、金属、樹脂など）
リ  接着方法（例  紫外線硬化性透明接着剤、透明接着剤、高温高圧による圧着など）
ヌ  制作の手順 
図７は５ミリメートル厚の板ガラスを複数層重ね接着し、それに前実施形態同様に作業を施した表示体の例である。
図８はα１側、β１側に人や景色を配することを前提とした、屋内、屋外に設置する巨大なオブジェとしての表示体の例である。
図９は見る角度によって異なる広告や案内、誘導表示が現れる表示体の例である。
図１０は車のサイドミラーやバックミラー、道路のカーブミラーとして利用した表示体の例である。
【図面の簡単な説明】
【０００９】
【図１】この考案の一実施形態を示す斜視図である。
【図２】この考案の一実施形態（前面と各分割面の位置関係を複数用いた）の説明図である。
【図３】この考案の一実施形態（α１側、β１側両方に図案を施した）の説明図である。
【図４】第一の光透過部（ガラス）中から屈折率の低い光透過性領域（空気）への入射角が臨界角となる説明図である。
【図５】第一の光透過部（ガラス）中から屈折率の低い光透過性領域（空気）への入射角が臨界角を超える説明図である。
【図６】第一の光透過部（ガラス）中から屈折率の低い光透過性領域（空気）への入射角が臨界角より小さい説明図である。
【図７】他の実施形態としての一例を示す斜視図である。
【図８】他の実施形態としての一例を示す斜視図である。
【図９】他の実施形態としての一例を示す斜視図である。
【図１０】他の実施形態としての一例を示す平面図である。
【符号の説明】
【００１０】
１  第一の光透過部
２  第二の光透過部
３  α１側の星形の図案
４  β１側の動物の図案
Ａ  前面
Ｂ  分割面（四角柱の底面に対し垂直で分割面に接しない辺を含む面で前面に対し一定の角度の面）
α  分割面で全反射しない前面Ａからの入射角の範囲（第一の光透過部中から屈折率の低い光透過性領域への入射角が臨界角未満となる角度）
β  分割面で全反射する前面からの入射角の範囲（第一の光透過部中から屈折率の低い光透過性領域への入射角が臨界角を超える角度）
α１  αから見た場合に見える第二の光透過部の側面領域
β１  βから見た場合に見える第一の光透過部の側面領域
ａ  空気中からガラスへの入射角
ｂ  空気中からガラスへの屈折角
ｃ  前面に対する分割面の角度
ｄ  ガラス中から屈折率の低い光透過性領域（空気）への入射角
ｅ  第一及び第二の両光透過部の設置時に設ける各分割面の距離
ｆ  第一及び第二の両光透過部より屈折率の低い光透過性領域
【図１】
0003136431.tif 000003
【図２】
0003136431.tif 000004
【図３】
0003136431.tif 000005
【図４】
0003136431.tif 000006
【図５】
0003136431.tif 000007
【図６】
0003136431.tif 000008
【図７】
0003136431.tif 000009
【図８】
0003136431.tif 000010
【図９】
0003136431.tif 000011
【図１０】
0003136431.tif 000012